(57)【要約】      （修正有）【課題】両端が他の大きな物体に固定されているか、ロープが輪になっていてロープに端が無いループ状態、等のロープを、その両端間の任意の位置で把持、固定し得るロープキャッチャーを提供する。【解決手段】筐体１は、断面がＵ字形であり、ロープを入れるための空間部５は対向して立ち上がる２つの板部１-１，１-２と底部１-３とにより形成され、筐体の２つの板部には、ロープの締付固定方向に対して下方に向かうスリット７-１，７-２が対向して設けられている。ロープを空間部の底部に置き、ロープの上方でロープ締付固定用シャフトのキャップナット２-１を１つの板部に設けられた穴に通して、ロープ締付固定用シャフトを２つのスリット内で下方に移動させロープを押さえつけて把持固定し、ストッパーボルトをロープの上方に固定して、ロープ締付固定用シャフトの上方への移動を制限する。【選択図】図１
2018048709.tif 000002
【特許請求の範囲】
【請求項１】
筐体１、ロープ締付固定用シャフト２およびストッパーボルト３を備えてなり、筐体１内にロープ４を把持して固定するためのロープキャッチャーであり、；
筐体１は、その断面がＵ字形であり、ロープ４を入れるための空間部５は対向して立ち上がる２つの板部１−１および１−２と底部１−３とにより形成されており、開口した端部６−１および６−２を有してなり；
筐体１の２つの板部１−１および１−２には、ロープ４の締付固定方向に対して下方に向かうスリット７−１および７−２が対向してそれぞれ設けられており；
ロープ締付固定用シャフト２は、スリット７−１および７−２の幅より寸法が大きいキャップナット２−１および２−２を、スリット７−１および７−２の幅より寸法が小さいシャフト部分２−３の両端に有してなり、スリット内を下方に移動して空間部５の底部１−３に置かれたロープ４を上方より締付固定するように構成され；
ストッパーボルト３は、大きな径の頭部３−１およびそれに続く小さい径の頭部３−２、軸部３−３、先端ネジ部３−４および頭部３−１の外側に設けられた、ストッパーボルト３を回転させるための取手部材３−５からなり；
板部１−１のスリット７−１の上端近傍に穴９と対向する位置にストッパーボルト３の先端ネジ部３−４をねじ込むためのメスネジを有するネジ穴８がスリット７−１と分離して設けられており；
板部１−２のスリット７−２の上端にはスリット７−２に連続して穴９が設けられており、穴９は、ストッパーボルトの大きい径の頭部３−１は通さないが小さい径の頭部３−２およびロープ締付固定用シャフト２のキャップナット２−２を通す大きさを有し、ロープ締付固定用シャフト２はスリット７−１および７−２を移動して穴９に至り、スリット７−２側でキャップナット２−２が穴９をくぐって、板部１−１側に移動し得るように構成されてなり；ならびに
ロープ４を空間部５に入れて底部１−３に置き、ついでロープ４の上方でロープ締付固定用シャフト２のキャップナット２−２を穴９に通して、ロープ締付固定用シャフト２をスリット７−１およびスリット７−２内で下方に移動させロープ４を押さえ付け、ついでストッパーボルト３をロープ４の上方になるように穴９から軸部３−３を入れ、取手部材３−５を回転させてネジ部３−４をネジ穴８にねじ込み固定することにより、ロープ締付固定用シャフト２がロープ４を把持固定し、ストッパーボルト３がロープ締付固定用シャフト２の上方への移動を制限し、ロープ締付固定用シャフト２が外れることを防止する；
ように構成されてなるロープキャッチャー。
【請求項２】
さらに、他の部材を締結するための穴１０を１つ以上有してなる請求項１に記載のロープキャッチャー。
【請求項３】
他の部材がストッパーボルト３の紛失防止用ひも１１である請求項２に記載のロープキャッチャー。
【請求項４】
穴１０がスリット７−１または７−２の上方に設けられた請求項２または３に記載のロープキャッチャー。
【請求項５】
ストッパーボルト３の取手部材３−５にストッパーボルト３の紛失防止用ひも１１の取り付け部１２が設けられた請求項１〜４のいずれか１項に記載のロープキャッチャー。
【発明の詳細な説明】
【技術分野】
【０００１】
本発明は、ロープキャッチャーに関する。さらに詳しくは、本発明は両端が他の大きな物体に固定されている、またはロープが輪になっていてロープに端が無いループ状であるようなロープの、ロープ両端間の任意の位置で把持、固定し得るロープキャッチャーに関する。
【背景技術】
【０００２】
従来、ロープキャッチャーは、種々の場面で用いられているが、それらは少なくとも片端がフリーのロープのフリー端を通して固定するものである。すなわち少なくともロープの片端がフリーであり、固定具の中にロープの端部を通すことが必要であるため、ロープの両端が他の物体に緊縛している、または端部が無いなどフリー端を使えないロープには、適さないものであった。
【０００３】
すなわち、市販されている「アンカーホルダ（商品名）は、図８の概略図に示されるようにロープを固定具の中に通し、シャフトで押さえ付けてアンカーホルダーを任意の位置にとどめ、このアンカーホルダーのロープ固定部より外側に設けられた位置にある穴を利用して、他の物体と接続可能とする器具をアンカーホルダーに取り付けられるようにしたものである（（a）断面図および（ｂ）斜視概略図）。このアンカーホルダーを使用する時は前もって繋ぎたいロープを固定具の中に差し込んで、通しておく必要がある。
【発明の概要】
【発明が解決しようとする課題】
【０００４】
本発明は、このような課題を解決するために、両端が固定されている（または端部を差し込めない）ロープを、その両端間の任意の位置で把持、固定し得るロープキャッチャーを提供するものである。
【課題を解決するための手段】
【０００５】
本発明は上記の問題を解決するために、以下の発明を提供するものである。
（１）  筐体１、ロープ締付固定用シャフト２およびストッパーボルト３を備えてなり、筐体１内にロープ４を把持して固定するためのロープキャッチャーであり；
筐体１は、その断面がＵ字形であり、ロープ４を入れるための空間部５は対向して立ち上がる２つの板部１−１および１−２と底部１−３とにより形成されており、開口した端部６−１および６−２を有してなり；
筐体１の２つの板部１−１および１−２には、ロープ４の締付固定方向に対して下方に向かうスリット７−１および７−２が対向してそれぞれ設けられており；
ロープ締付固定用シャフト２は、スリット７−１および７−２の幅より寸法が大きいキャップナット２−１および２−２を、スリット７−１および７−２の幅より寸法が小さいシャフト部分２−３の両端に有してなり、スリット内を下方に移動して空間部５の底部１−３に置かれたロープ４を上方より締付固定するように構成され；
ストッパーボルト３は、大きな径の頭部３−１およびそれに続く小さい径の頭部３−２、軸部３−３、先端ネジ部３−４、および頭部３−１の外側に設けられた、ストッパーボルト３を回転させるための取手部材３−５からなり；
板部１−１のスリット７−１の上端近傍に穴９と対向する位置にストッパーボルト３の先端ネジ部３−４をねじ込むためのメスネジを有するネジ穴８がスリット７−１と分離して設けられており；
板部１−２のスリット７−２の上端にはスリット７−２に連続して穴９が設けられており、穴９は、ストッパーボルトの大きい径の頭部３−１は通さないが小さい径の頭部３−２およびロープ締付固定用シャフト２のキャップナット２−２を通す大きさを有し、ロープ締付固定用シャフト２はスリット７−１および７−２を移動して穴９に至り、スリット７−２側でキャップナット２−２が穴９をくぐって、板部１−１側に移動し得るように構成されてなり；ならびに
ロープ４を空間部５に入れて底部１−３に置き、ついでロープ４の上方でロープ締付固定用シャフト２のキャップナット２−２を穴９に通して、ロープ締付固定用シャフト２をスリット７−１およびスリット７−２内で下方に移動させロープ４を押さえ付け、ついでストッパーボルト３をロープ４の上方になるように穴９から軸部３−３を入れ、取手部材３−５を回転させてネジ部３−４をネジ穴８にねじ込み固定することにより、ロープ締付固定用シャフト２がロープ４を把持固定し、ストッパーボルト３がロープ締付固定用シャフト２の外側のキャップナットと接することで、キャップナット２−２およびロープ締付固定用シャフト２の上方への移動を制限し、シャフト２が外れることを防止する；
ように構成されてなるロープキャッチャー。
（２）さらに、他の部材を締結するための穴１０を１つ以上有してなる上記（１）に記載のロープキャッチャー。
（３）他の部材がストッパーボルト３の紛失防止用ひも１１である上記（２）に記載のロープキャッチャー。
（４）穴１０が板部１−１のスリット７−１または板部１−２のスリット７−２の上方に設けられた上記（２）または（３）に記載のロープキャッチャー。
（５）ストッパーボルト３の取手部材３−５にストッパーボルト３の紛失防止用ひも１１の取り付け部１２が設けられた上記（１）〜（４）のいずれかに記載のロープキャッチャー。
【発明の効果】
【０００６】
本発明によれば、両端が他の大きな物体に固定されている、またはロープが輪になっていてロープに端が無いループ状であるようなロープのロープ両端間の任意の位置で把持、固定し得るロープキャッチャーを提供し得る。
【図面の簡単な説明】
【０００７】
【図１】本発明のロープキャッチャーの一実施態様を示す斜視概略図。
【図２】本発明のロープキャッチャーのロープ締付固定用シャフト２の一実施態様を示す概略図。
【図３】本発明のロープキャッチャーのストッパーボルト３の一実施態様を示す概略図。
【図４】本発明のロープキャッチャーによりロープを把持固定する一実施態様を示す概略図。
【図５】ロープ両端が他の大きな物体に固定されている場合の一例を示す概略図。
【図６】ロープが輪になっていて端が無いループ状である場合の一例を示す概略図。
【図７】筐体の底部でロープ締付固定用シャフト２がロープ４を把持固定している一例を示す概略図。
【図８】従来のアンカーホルダーによりロープを把持固定する場合を示す概略図。
【発明を実施するための形態】
【０００８】
本発明の好適な実施態様を図面とともに説明する。図１は、本発明のロープキャッチャーの一例を示す斜視概略図を表す。本発明のロープキャッチャーは、
筐体１、ロープ締付固定用シャフト２およびストッパーボルト３を備えてなり、筐体１内にロープ４を把持して固定するのに用いられる。
【０００９】
筐体１は、その断面がＵ字形であり、ロープ４を入れるための空間部５は対向して立ち上がる２つの板部１−１および１−２と底部１−３とにより形成されており、開口した端部６−１および６−２を有してなる。
【００１０】
筐体１の材質は、空気中および海水中での腐食防止、強度等の点から好適にはステンレス鋼やチタン合金材である。筐体１の作製には、たとえば、SUS316L,SUS304、などのオ−ステナイト系ステンレス鋼やチタン合金など溶接構造物や、鋳造で製作可能な材質等が採用される。また、充分な強度が確保できれば樹脂、および金属と樹脂の組み合わせを採用することもできる。
【００１１】
筐体１の２つの板部１−１および１−２には、ロープ４の締付固定方向に対して下方に向かうスリット７−１および７−２が対向してそれぞれ設けられている。
【００１２】
ロープ締付固定用シャフト２は、スリット７−１および７−２の幅より寸法が大きいキャップナット２−１および２−２を、スリット７−１および７−２の幅より寸法が小さいシャフト部分２−３の両端に有してなり、スリット内を下方に移動して空間部５の底部１−３に置かれたロープ４を上方より締付固定するように構成されている。
【００１３】
図２は、本発明のロープキャッチャーのロープ締付固定用シャフト２の、使用していないときの一実施態様を示す概略図である。
【００１４】
図３は、本発明のロープキャッチャーのストッパーボルト３の一実施態様を示す概略図であり、ストッパーボルト３は、大きな径の頭部３−１およびそれに続く小さい径の頭部３−２、軸部３−３、先端ネジ部３−４および頭部３−１の外側に設けられた、ストッパーボルト３を回転させるための取手部材３−５からなる。取手部材３−５は、好適には板状またはリング状もしくはＵ字状である。
【００１５】
板部１−１のスリット７−１の上端近傍に穴９と対向する位置にストッパーボルト３の先端ネジ部３−４をねじ込むためのメスネジを有するネジ穴８がスリット７−１と分離して設けられている。取手部材３−５は、手指等で回転させてストッパーボルト３をネジ穴８にねじ込むためのつまみの役割を果たし、後述するように紛失防止用ひも１１の取り付け部１２が設けられるのが好適である。
【００１６】
板部１−２のスリット７−２の上端にはスリット７−２に連続して穴９が設けられており、穴９は、ストッパーボルトの大きい径の頭部３−１は通さないが小さい径の頭部３−２およびロープ締付固定用シャフト２のキャップナット２−２を通す大きさを有し、ロープ締付固定用シャフト２はスリット７−１および７−２を移動して穴９に至り、スリット７−２側でキャップナット２−２が穴９をくぐって、板部１−１側に移動し得るように構成されてなる。この時でもロープ固定用シャフト２やキャップナット２−２はスリット７−１から外れない。
【００１７】
シャフトが無い空間部５が開くので、ロープ４を空間部５に入れて底部１−３に置き、ついでロープ４の上方でロープ締付固定用シャフト２のキャップナット２−２を穴９に通して、ロープ締付固定用シャフト２をスリット７−１およびスリット７−２内で下方に移動させロープ４を押さえ付け、ついでストッパーボルト３をロープ４の上方になるように穴９から軸部３−３を入れ、取手部材３−５を手指等で回転させてネジ部３−４をネジ穴８にねじ込み固定することにより、図７に示すようにロープ締付固定用シャフト２がロープ４を把持固定し、ストッパーボルト３がロープ締付固定用シャフト２の上方への移動を制限し、ロープ締付固定用シャフト２が外れることを防止するように構成されてなる。
【００１８】
図４は、本発明のロープキャッチャーによりロープを把持固定した一実施態様を示す概略図である。
【００１９】
本発明のロープキャッチャーによれば、両端が他の大きな物体に固定されている（図５）、またはロープが輪になっていてロープに端が無いループ状である（図６）ようなロープのロープ両端間の任意の位置で、ロープを把持、固定し得る。
【００２０】
さらに、本発明のロープキャッチャーは、ストッパーボルト３の紛失防止用ひも１１等及び他の部材を締結するための穴１０を１つ以上有してなるのが好適である。紛失防止用ひも１１としては、ゴムロープ、ゴム紐等のショックコード、ウレタンゴムで被覆されたワイヤ等が好適である。穴１０は、スリット７−１または７−２の上方に設けられるのが好適である。ストッパーボルト３の大きな径の頭部３−１の外側に設けた取手部材３−５にストッパーボルト３の紛失防止用ひも１１の取り付け部１２が設けられるのが好適である。
【００２１】
本発明のロープキャッチャーにおいて、板部１−１の上方は、任意の形状を採用することができ、頂部が平らであっても山形状であってもよく、板部１−２と同等の高さであってもよい。１−１，１−２の上方を手で掴めるようにすることもでき、１−３の下側（外側）にハンドル状の突起を設けることも出来る。例えば本発明のロープキャッチャーを左右のロープに別々に取り付け、交互に上方に移動させればロープの上方に操作者が移動することも可能である。
【００２２】
本発明のロープキャッチャーは、足場吊り用ロープ、ブイ（浮標）設置ロープ、アンカーロープ、仮設置の登山用ロープ、等の、陸上、海水中のロープがフリーの片端を有さない場合又はロープの端部が実質的に遠距離にある場合（端部を取りに行くことが困難な場合）でも、任意の位置で捕捉し固定するのに有用である。たとえば、高層建築の窓ガラス外側の清拭作業を例とすると、従来は最上階からロープを垂らし、そのロープの左右の可動範囲を上方から下方に向かう清拭作業しかできなかった。本発明のロープキャッチャーを使用すると、左右に垂れ下げたロープにロープキャッチャーを後から取り付け、横方向に移動することも可能である。更には近い距離に２つのロープと本発明のロープキャッチャーを取り付け、交互にロープキャッチャーを上に移動させ、作業者が上方に上がることも可能である。
【００２３】
登山の場合ではこの機能を使えば安全に上部に上がり、最上部の固定位置でロープの回収も可能となる。
【００２４】
海事作業において、海底にある碇（アンカー）から海面に伸びるロープがあり海面に浮袋（ブイ）がある場合（ロープの両端に他の物体が緊縛されている状態）は、操作する船から、ブイの直ぐ下方のロープに本器具を取り付け、自重で任意の位置までロープを中に入れ下げていく。所定の位置まで下がったところで、本発明のロープキャッチャーに取り付けた別のワイヤロープを使って巻き上げると海底の碇（アンカー）を持ち上げることが可能となり、水中で持ち上げたままの状態で、船を移動することで次の設置場所まで碇（アンカー）を移動させることができる。従来の方法では、浮袋（ブイ）を船上に持ち上げ、碇（アンカー）をウインチなどで所定の水深まで引き揚げてから水中を移動させ、その後に碇（アンカー）を降ろし、海底に置きなおし、浮袋（ブイ）を海面に投入していた。波の高い時にウインチのついた大型船舶は使用できないため、ゴムボートなどの不安定な船舶からブイを船上に引き上げるなどをするが、揺れる中での手作業では困難な作業状況であった。
【産業上の利用可能性】
【００２５】
本発明は、両端が他の大きな物体に固定されているか、ロープが輪になっていてロープに端が無いループ状態、等のロープを、その両端間の任意の位置で把持、固定し得るロープキャッチャーを提供する。
【符号の説明】
【００２６】
１    筐体
１−１、１−２    板部
２    ロープ締付固定用シャフト
３    ストッパーボルト
４    ロープ
５    空間部
６-1，６−２    開口した端部
７−１、７−２    スリット
８    ストッパーボルト先端ネジ部３−４が入るネジ穴
９    ストッパ―ボルトの小さい径の頭部３−２が入る穴
１０    他部材との接続用穴
１１    紛失防止用ひも
１２    取り付け部
【図１】
2018048709.tif 000003
【図２】
2018048709.tif 000004
【図３】
2018048709.tif 000005
【図４】
2018048709.tif 000006
【図５】
2018048709.tif 000007
【図６】
2018048709.tif 000008
【図７】
2018048709.tif 000009
【図８】
2018048709.tif 000010